(57)【要約】【課題】脱が容易で、部品点数を削減でき、製造コスト削減を図れる電子機器の書類入れを提供する。【解決手段】使用説明書入れ２０を、複写機本体２に取り付けるベース板部８と、使用説明書等を入れる空間９を形成する収容板部１０との合成樹脂等の一体成形品として形成する。収容板部１０の表面から裏面側にかけてスリット２１を設け、その途中にリブ２２を設けて、フック２３を切り離し可能とする。フック２３の上端近傍にベース板部８への取り付け用の穴２４を設け、ベース板部８にはフック２３を差し込んで止めるための嵌合部２５を形成する。嵌合部２５内に突起を形成しフック２３の穴２４を引っ掛け得るようにする。カッター等でフック２３をカットし、上下をひっくり返して下端を嵌合部２５内に挿入して穴２４を突起に引っ掛けて完成させ、その状態でフック２３を複写機本体の前ドア上縁等に引っ掛ける。【選択図】　　　　図３
2004085847.tif 000002
【特許請求の範囲】
【請求項１】
電子機器の使用説明書等の書類を入れる収容部を備える本体部と、該本体部に一体成形にて設けた上記電子機器への係止部品部とからなり、上記係止部品部は、その外周縁に沿って設けたスリットで上記本体部から区分し、かつ該スリット内の少なくとも一箇所に折り曲げ等により切断可能なリブを設けて上記本体部に連結してなり、上記係止部品部が上記本体部との係止用の穴を少なくとも一個有し、上記本体部が上記係止部品部の穴と係合可能な突部を少なくとも一個有することを特徴とする電子機器の書類入れ。
【請求項２】
請求項１の電子機器の書類入れにおいて、上記係止部品部が複数の係止用の穴を有することを特徴とする電子機器の書類入れ。
【請求項３】
請求項１または２の電子機器の書類入れ２において、上記係止部品部が上記電子機器との係止用の穴を少なくとも一個有し、上記電子機器が上記係止部品部の穴と係合可能な突部を少なくとも一個有することを特徴とする電子機器の書類入れ。
【発明の詳細な説明】
【０００１】
【発明の属する技術分野】
本発明は、複写機、ファクシミリ、プリンタ等の電子機器の使用説明書等を入れるのに好適な書類入れに関する。
【０００２】
【従来の技術及び発明が解決しようとする課題】
従来、複写機等の電子機器においては、使用説明書等の収納は実公平６−２１５８号公報、特開２００１−４２５８８号公報、特開平９−１９００３２号公報等に記載されているように、複写機本体内部に収納したり、図１に示すように複写機本体外部に貼り付けたりする等の構造が知られている。
【０００３】
図１の構造は、使用説明書入れ１を複写機本体２に同梱しておき、所要の場所に複写機本体２を設置した後、任意の場所、例えば複写機本体２の前ドア３の外面等に貼り付けるようになっている。なお図２において、４は給紙トレイ、５は原稿給紙部、６は大量給紙トレイ、７はフィニッシャである。また使用説明書入れ１は、図２に示すように、複写機本体２に貼り付けるベース板部８と、使用説明書等を入れる空間９を形成する収容板部１０とから構成してあり、一般的には合成樹脂等の一体成形品を用いている。
【０００４】
ところが図１の構造では、複写機本体２の外面等に使用説明書入れ１を両面テープ等で貼り付けてしまうため、機械寸法が大きくなり、複写機本体２を移動時には部屋やエレベータ等の出入り口でつかえ、使用説明書入れ１を剥がさなくてはならないことが生じることがある。特に大型機においては、エレベータの出入り口サイズに合わせて機械サイズを決めている場合が多いため、使用説明書入れ１が問題になることが多い。また重量のある使用説明書等も入れるため、剥がれないように強力な両面テープを使用することも多く、剥がす場合にはかなりの力を要し、剥がれたとしても両面テープの一部やノリ等が複写機本体２側に残り、その清掃等に時間が掛かることがある。
【０００５】
本発明は上記従来の問題点にかんがみてなしたもので、着脱が容易で、取り外し時に両面テープの一部やノリ等が残ることがなく、電子機器をリサイクル、再使用化の妨げにならず、また従来品よりも部品点数を削減でき、製造コスト削減を図れる電子機器の書類入れを提供することを目的とする。
【０００６】
【課題を解決するための手段】
本発明の請求項１に係る電子機器の書類入れは、上記目的を達成するために、電子機器の使用説明書等の書類を入れる収容部を備える本体部と、該本体部に一体成形にて設けた上記電子機器への係止部品部とからなり、上記係止部品部は、その外周縁に沿って設けたスリットで上記本体部から区分し、かつ該スリット内の少なくとも一箇所に折り曲げ等により切断可能なリブを設けて上記本体部に連結してなり、上記係止部品部が上記本体部との係止用の穴を少なくとも一個有し、上記本体部が上記係止部品部の穴と係合可能な突部を少なくとも一個有することを特徴とする。
【０００７】
同請求項２に係るものは、上記目的を達成するために、請求項１の電子機器の書類入れにおいて、上記係止部品部が複数の係止用の穴を有することを特徴とする。
【０００８】
同請求項３に係るものは、上記目的を達成するために、請求項１または２の電子機器の書類入れ２において、上記係止部品部が上記電子機器との係止用の穴を少なくとも一個有し、上記電子機器が上記係止部品部の穴と係合可能な突部を少なくとも一個有することを特徴とする。
【０００９】
【発明の実施の形態】
以下本発明の実施の形態を図面を参照して説明する。なお以下では従来と共通する部分には共通する符号を付すに止め、重複する説明は省略する。
図３ないし図７は本発明に係る電子機器の書類入れの第１実施形態を示す。本実施形態の使用説明書入れ２０も、図示のように、複写機本体２に取り付けるベース板部８と、使用説明書等を入れる空間９を形成する収容板部１０とから構成してあり、合成樹脂等の一体成形品であるが、収容板部１０の表面からその裏面側に位置するベース板部８にかけてスリット２１が設けてあり、かつスリット２１の途中部位の任意の複数個所（図３では８箇所）にリブ２２が設けてある。このリブ２２で切り離すことにより、スリット２１の内側の部位２３が使用説明書入れ２０を複写機等の電子機器本体へ係止、保持する鉤状のフックとなる（以下部位２３をフック２３という）。リブ２２は、カッターやニッパー等の工具にてカットできるように形成すればよい。
【００１０】
またフック２３の上端近傍には、ベース板部８への取り付け用の穴２４が設けてあり、ベース板部８の両側縁の上部側には、フック２３を差し込んで止めるための嵌合部２５が一対形成してある（図では一方のみ示す）。嵌合部２５は上部が開口し、内側には図６に示すように突起２６が形成しており、これにフック２３の穴２４を引っ掛け得るようになっている。突起２６は、図示のように上面を下向き斜面とし、下面をベース板部８に対して垂直をなす面としてあり、嵌合部２５の上方からフック２３を差し込む際にフック２３が乗り越えて進入でき、嵌合部２５からフック２３を引き出す動きに対してはそれを阻止するように働く。なお図示の例では嵌合部２５は下端側も開口しているが、閉じていてもよい。
【００１１】
そして図３の状態から上述のようにカッターやニッパー等の工具でフック２３をカットして取り外し、図４に示すように上下をひっくり返して下端を嵌合部２５内に挿入すると、嵌合部２６の内側が開口しているので先端が嵌合部２５内の突起２６を容易に乗り越え、穴２４が突起２６に嵌着される。この簡単な挿入動作により、図５に示す使用説明書入れとしての最終形状が完成する。この状態で図７に示すようにフック２３を複写機本体２の前ドア３上縁に引っ掛ければ、複写機本体２への使用説明書入れ２０の取り付けが完了し、不要なときあるいは邪魔なときはフック２３を持ち上げるだけで簡単に使用説明書入れ２０全体を取り外せるようになる。
【００１２】
図８は本発明に係る電子機器の書類入れの第２実施形態のフックを示す。この実施形態は、フック２３に、穴２４を複数個設けて複写機等への取り付け高さをオペレータ等の使いやすさに合わせて調節可能としたものである。
【００１３】
図９、図１０は本発明に係る電子機器の書類入れの第３実施形態のフックを示す。この実施形態は、フック２３の複写機等への取り付け側となる部位にも穴２７を設け、複写機本体２の前ドア３にも裏面部に突起２８を設け、図１０に示すように取り付けることで、単に前ドア３の上縁に引っ掛けるよりも確実に取り付けられるようにしたものである。なお前ドア３の突起２８を図１０の紙面垂直方向で複数個設け、使用説明書入れ２０の取り付け場所を、複写機本体２の前ドア３の上縁の範囲内でいろいろ変えることができるようにすることもできる。
【００１４】
なお以上の実施形態の説明では、使用説明書入れ２０を複写機本体２の前ドア３に取り付ける例のみであるが、本発明に係る書類入れの取り付け場所はこれに限定されず、大量給紙トレイ６やフィニッシャ７のドア等の種々の場所に設定可能である。また図示の例のように一方側の前ドアのみに限定されることもない。さらに、説明書入れとしてだけではなく、不要紙やペン等の文具、電子機器関係の用品等々種々の物品の収納にも使用できることはもちろんである。またさらに、オペレータや顧客の希望に合わせ、前ドア３等へ両面テープによる貼り付けることもできる。この場合には、フック２３を収容板部１０から取り外さないかあるいは取り外しても使用しなければよい。
【００１５】
【発明の効果】
請求項１に係る電子機器の書類入れは、以上説明してきたように、電子機器への着脱が非常に容易になり、取り付けに両面テープ等を用いないので、取り外し時に両面テープ等が電子機器側に残ることがなく、電子機器をリサイクルする場合や再生材化する場合においては両面テープ等を剥がすための清掃時間を短縮することができ、また使用説明書等を入れる部分と係止するための部分を一体成形することにより、部品点数を削減でき、従来の使用説明書入れに比べてもコストアップせずに済むという効果がある。
【００１６】
請求項２に係る電子機器の書類入れは、以上説明してきたように、複数の係止用の穴を利用してオペレータや顧客の希望に合わせて取り付け高さを変えられるという効果がある。
【００１７】
請求項３に係る電子機器の書類入れは、以上説明してきたように、係止部品と電子機器とを穴と突起の嵌着により取り付けて、いっそう確実な取り付けができ、例えばドアに取り付けば場合にはドアの開閉による取り付け位置ずれを防止できるという効果がある。
【図面の簡単な説明】
【図１】複写機等の電子機器に使用説明書入れを取り付けた従来例の斜視図である。
【図２】図１の例の使用説明書入れの斜視図である。
【図３】本発明に係る電子機器の書類入れの第１実施形態を示す斜視図（Ａ）とＢ−Ｂ断面図である（Ｂ）。
【図４】図３の実施形態の電子機器への取り付け途中を示す斜視図である。
【図５】図３の実施形態の電子機器への取り付け途中を示す斜視図である。
【図６】図５のＢ−Ｂ断面図である。
【図７】図３の実施形態を電子機器への取り付けた状態を示す側面図である。
【図８】本発明に係る電子機器の書類入れの第２実施形態のフックを示す斜視図である。
【図９】本発明に係る電子機器の書類入れの第３実施形態のフックを示す斜視図である。
【図１０】図９の実施形態を電子機器への取り付けた状態を示す側面図である。
【符号の説明】
１　使用説明書入れ
２　複写機本体
３　前ドア
４　給紙トレイ
５　原稿給紙部
６　大量給紙トレイ
７　フィニッシャ
８　ベース板部
９　使用説明書等を入れる空間
１０　収容板部
２０　使用説明書入れ
２１　スリット
２２　リブ
２３　フック
２４　取り付け用の穴
２５　嵌合部
２６　突起
２７　穴
２８　突起
【図１】
2004085847.tif 000003
【図２】
2004085847.tif 000004
【図３】
2004085847.tif 000005
【図４】
2004085847.tif 000006
【図５】
2004085847.tif 000007
【図６】
2004085847.tif 000008
【図７】
2004085847.tif 000009
【図８】
2004085847.tif 000010
【図９】
2004085847.tif 000011
【図１０】
2004085847.tif 000012